(57)【要約】【目的】本考案はお年寄り等が杖を簡単に置くことを可能にした杖袋を提供する。【構成】この杖袋は、第１の部材と第１の部材に周辺で取り付けられた第２の部材と第１と第２の部材の間に杖を収納可能な開口部を設けこの杖袋は椅子等の対象物に取り付け可能な紐を具備する。【選択図】  図１
0003127176.tif 000002
【実用新案登録請求の範囲】
【請求項１】
折りたたみ可能な材質からなる長手方向に延出した第１の部材と、
該第１の部材よりも短くかつ少なくとも一部の周辺部を除く周辺部で第１の部材に取着されるとともに、前記一部の周辺部と前記第１の部材との間に開口部が設けられた第２の部材と、
第１あるいは第２の部材を対象物に固定するための固定手段と、
からなることを特徴とする杖袋。
【請求項２】
前記固定手段は第１の部材の背面に設けられた紐からなる請求項１記載の杖袋。
【請求項３】
前記紐は第１の部材の背面の上端部およびまたは中央部に設けられた請求項２記載の杖袋。
【請求項４】
前記固定手段は第１の部材の背面に設けられたマジックテープ（登録商標）からなる請求項２記載の杖袋。
【請求項５】
前記第１の部材の前記開口部周辺に設けられた第１の中空留め具と前記第２の部材の第１の留め具に対応する位置に設けられた第２の留め具と、該第１および第２の中空部に嵌挿するリングとを有し前記開口部を形成する請求項１記載の杖袋。
【考案の詳細な説明】
【技術分野】
【０００１】
本考案は、お年寄り、被介護者、あるいは身体不自由者（以下、お年寄り等と記す）が、杖を使う際に用いられ杖を挿入するための杖袋に関する。
【背景技術】
【０００２】
お年寄り等にとって杖は必須のものである。しかし、杖は歩行の際は必須であるが、いすに座ったりベッドに寝たり、あるいは畳、床等に座る際には不要になる。その際に杖の置き場所に困り、場合によっては壁等に立て掛けておこうとするが、壁の壁面等では固定できずに倒れてしまうこともあった。したがってお年寄り等が杖を置こうとするときにその置き場所を探すのが大変であり、あるいは適切な置き場所を探せないこともあった。
【０００３】
杖を使用している年寄り等が移動し、そこで休憩したり、用を足したりする場合、杖を移動到達地点から離れた位置に立て掛けなければならない場合、床に置かなければならない場合、又は椅子に立て掛けた後椅子を動かした際杖が転倒する場合がある。よって、杖が常に安定してお年より等の身近に置けないことが次の移動・動作に不便をきたす。
【０００４】
さらに離れたところにある杖を取りに行く途中で転んだり、足元にある杖に気付かずずっこけたり、倒れかけた杖をとろうとして転んだりするケースがある。
これらの問題を解決するために、特許文献１では杖のスタンドを設けそのスタンドの杖たて穴７を漏斗状に形成し、かつ杖たて穴の底面に杖を垂直状態で保持する杖保持面を設けていた。
【特許文献１】特開２００５−１１８１４０
【考案の開示】
【考案が解決しようとする課題】
【０００５】
特許文献１ではスタンドは床に配置するものであるので、そのスタンドにお年寄り等がつまづく恐れが有った。また、スタンドからは杖が垂直に突出しているのでお年寄り等が、ぶつかったりあるいは倒れ掛かった時に身体等を突く危険もあった。さらにスタンドは持ち運びが不便であった。さらに、杖のスタンドは固定的な位置に置かれているので上記問題を十分に解決できず、またスタンドがない場所では全く解決されない。
【０００６】
本考案は上記従来の問題に鑑みて、杖を置きやすい杖袋を設け、それをいす等に固定しておくこと、あるいはお年寄りが携行し、杖を置く必要があるときにいす等に固定することにより、お年寄り等が簡単に杖をその中に保管できる杖袋を提供することを目的とする。
【課題を解決するための手段】
【０００７】
本考案によれば折りたたみ可能な材質からなる長手方向に延出した第１の部材と該第１の部材よりも短くかつ少なくとも一部の周辺部を除く周辺部で第１の部材に取着されるとともに、前記一部の周辺部と前記第１の部材との間に開口部が設けられた第２の部材と第１あるいは第２の部材を対象物に固定するための固定手段とからなる杖袋を提供するものである。
【０００８】
本考案によれば表面の上部は所定の寸法をあけて杖を収納しやすくする。第１の紐により机やいすの脚部にこの杖袋を取り付け、そこに杖を収納する。この杖袋は布で構成されているので老人等が常に持参することができる。そして紐は袋帯の裏面の上部に中央部を縫いつけ両端部を自由端にして取り付ける。また、第２の紐はほぼ裏面の中央部に両端を自由端にして中央部を縫い付けることにより取り付ける。
【０００９】
この杖袋により杖を常に安定した位置、又は、身近に保持することのできる簡易的で、持ち運び・設置が可能となる。
布地で折りたたみ（巻き込み）できる杖ホルダー（杖袋）を簡単に持ち運べ・簡単に設置・取り外しが可能にしたうえに、杖の差込・取出しが容易にできる。取り付け方法として、2本の紐で縛ることと、マジックテープ（登録商標）を用いる方法がある。
【００１０】
袋に杖を差し込む場合に、挿入口が開いていることが片手で杖を挿入するのに都合がいい。杖ホルダー（杖袋）の挿入口を保持するために、針金（又は、力を加えたら変形し、カが解けると元の形に戻る樹脂製のワイヤー）で円形又は、楕円形に骨組みを造り挿入口の先端に埋め込み、開口部を確保する。
【００１１】
杖袋の上部を紐又はマジックテープ（登録商標）で固定すると同時に、中間部をあらかじめ取り付けてある紐でベッド又は椅子等の足に縛り付けることによりとその場に同化させることができ杖袋もより安定する。
【００１２】
杖を杖ホルダー（杖袋）内にスムーズに挿入可能にするために、差し込んでひっかかる一面を、硬めにする。
【考案の効果】
【００１３】
例えば折りたたみ（巻き込み）されている杖袋を任意の移動場所に容易に持ち運ぶことができ、移動到達点で杖袋を展開することにより長くして椅子等に取り付けその開口部に中に杖を収納することが可能である。
【００１４】
杖袋は布状に形成されているので軽量であるのでお年寄り等が携行しやすい。しかも折り曲げることにより、あるいは巻き込むことにより小型にすることができる。かつ、丸め込んだものを紐によって締めることもできる。したがって持参しやすくなっている。またポケット等に簡単に収納できる。
【００１５】
外出する際も杖袋を持参しているということが・身近に常に杖があるという安心感を与え、外出する意欲を誘う。
この袋を持参していれば、杖を使用して移動し休憩や用を足したりした後、スムーズに杖を取出し、次の動作に移ることができる。
【００１６】
移動場所がトイレであったり・ベッド又は椅子であれば、この杖袋は簡単に装着・取り外しが可能である。
お年寄り等が、休憩したり・用を足したりする場所に、常にこの杖袋を備え付けておく方法を取れば、杖袋を持参する必要性はない。その場合、杖袋の上部を紐又はマジックテープ（登録商標）で固定すると同時に、中間部をあらかじめ取り付けてある紐で縛り、ベッド又は椅子等と同化させることができ杖袋もより安定する。
【００１７】
基本的にこの杖袋は、布地で構成されているため突然発生する突起物にならず、年寄りの行動を妨げることがない安全な補助具となる。
杖袋を構成する布地の色や・デザイン・柄を変えることにより、その場の雰歯気・インテリアにマッチしたものが製作できる。杖袋の布地を薄手の物（ウインドウブレーカー状の生地）を使用することにより、さらに軽量化がはかれコンパクトにできる。
【００１８】
以上によりお年寄り等が身近に杖があるという安心感を与えることにより、日ごろの活動を活発にすることができる。
【考案を実施するための最良の形態】
【００１９】
図１（ａ）ないし図１（ｄ）は本考案の杖袋の一実施態様を示す図である。図１（ａ）図は杖袋の平面図であり、長手方向に細長く、折りたたみ可能な部材、例えば布地から構成され、長手方向に細長い背面体１とこの背面体１より短く同じ部材で作られ背面体との間で杖等を収納する開口部２を形成する袋体３からなる。袋体３の３周辺部は背面体１と縫合される。また背面体１と袋体３の外周部は縁取り４されている。また背面体１の上面から2つの自由端を持つ紐５が背面体の背面から延出している。また、袋体３のほぼ中央部の両側面からは同様に紐体６が延出している。そして縁取り４をもうけることにより縁から布がほころびたりすることがないようにする。
【００２０】
この杖袋は掛け軸状に巻き込まれて紐体５あるいは６によって結ばれて小型化された状態でお年寄り等に携帯される。そしてお年寄り等が椅子に座る時には、その椅子の背面の柱状部に紐５および６を使ってこの杖袋を結び付ける。そして、お年寄り等はその杖袋の開口部２に杖を差し込んで保管する。その後お年寄り等は椅子に着席する。
【００２１】
図１（ｂ）は杖袋の背面図である。紐５および６はそのほぼ中央部５‘、６’で所定の長さだけ背面体１に縫合される。
図１（ｃ）は杖袋の側面図であり、背面体１と袋体３が縫合され杖を収納するための開口部２が設けられている。
【００２２】
図１（ｄ）は杖袋を展開した図であり、背面体１の袋体３と当接部分であって袋体３の開口部２の近くに中空の留め部７が設けられる。
この留め部７はリング等を通して開口部を開くためのものである。
【００２３】
図２は本考案の他の実施態様の背面図である。背面体１の上部には巻き込み部材１０が設けられその一端は背面体１の背面に縫合され他の自由端にはマジックテープ（登録商標）１１が設けられている。背面体１の中央部には紐体６が設けられている。
【００２４】
巻き込み部材１０は杖袋を掛け軸状に巻き込んだ際マジックテープ（登録商標）１１を使って杖袋を留め、巻き込み状態を保持するためのものである。
図３（ａ）ないし図３（ｄ）は他の実施態様を示す図である。図３（ａ）は杖袋の平面図、図３（ｂ）は同じく展開図、図３（ｃ）は開口部の説明図、図３（ｄ）は背面図である。背面体１に設けられた留め部材７に加えて、この留め部材７に対応して袋体３の内面に留め部材３１を設け、それぞれ中空の留め部材７、３１の中空部を通して針金等からなるリング３２を通したものである。これにより図３（ｃ）に示すように開口部２が留め部材７、３１を通るリング３２により広がるので杖３３を杖袋の開口部２に挿入し易くなる。
【００２５】
更に図３（ｄ）に示すように、背面体１の上部背面に設けられた紐５の先端部にはS字上の鍵部３４を設ける。これにより杖袋が掛け軸状に巻き込まれた時、鍵部３４の先をリング３２と係合することにより杖袋の巻き込み状態を保持する。
【００２６】
図４は本考案の杖袋の紐５を椅子の背面上部または側部に結びつけ、その開口部２に杖３３を挿入したところを示す斜視図である。
以上述べたように本考案、お年寄り等が椅子等に座る時にその杖を収納する場所として上記実施例態様に述べた椅子の背面等に予め設けておくことにより、お年寄り等が杖の置き場所を容易に確保することができる。また、本考案の杖袋は布等の軽量で作られ、かつ素材も柔らかいのでお年寄り等がポケット等に入れて持ち運べ、必要な時に取り出して巻き込まれた杖袋を長く展開して椅子の背等に設置することにより、お年寄り等は任意の所に杖の置き場所を心配することなく行動することができる。
【００２７】
更にこの杖袋は紅型等の鮮やかな色彩等の布地で作ればこれを持参携帯してもアクセサリー的になる他、お年寄り等の気持ちを活発化するという効果もある。
【図面の簡単な説明】
【００２８】
【図１】図１（ａ）ないし１（ｄ）は本考案の１実施体様の平面図、背面図側面図、展開図である。
【図２】図２は本考案の杖袋の他の実施例の背面図である。
【図３】図３（ａ）ないし３（ｄ）は本考案のさらに他の実施態様の平面図、展開図、部分斜視図、背面図である。
【図４】図４は本考案の一実施例の杖袋を椅子に固定した状態を閉める斜視図である。
【図１】
0003127176.tif 000003
【図２】
0003127176.tif 000004
【図３】
0003127176.tif 000005
【図４】
0003127176.tif 000006